(57)【要約】【課題】結束部材ガイド部がプロテクタの周囲のうち一部のみに形成される場合でも、結束作業を容易にかつ確実に実行できるワイヤハーネスの製造方法を実現する。【解決手段】筒状ガイド部５５の一方側の領域内に結束バンド１４の横ずれを規制する一部の側方ガイド面５２ａ、５２ｂを形成するプロテクタ本体３３と、筒状ガイド部５５の他方側の蓋部材３５と、一方側の領域内に湾曲ガイド面６１と残部の側方ガイド面とを形成する係合部材１６を準備し、蓋部材３５と周方向に隣接するプロテクタ本体３３に対して係合部材１６を係合させ、筒状ガイド部５５の一方側に、一方側の結束面５１、湾曲ガイド面６１、一部および残部の側方ガイド面５２ａ、５２ｂ等を有する湾曲した作業時案内通路７０を形成し、結束バンド１４を前方側に折り返すよう湾曲させて結束する。【選択図】図１
2016195480.tif 000002
【特許請求の範囲】
【請求項１】
電線束の外周方向に隣り合う複数のプロテクタ部材によって前記電線束の曲げ位置を含む長さ方向の特定区間を取り囲むプロテクタを形成するとともに、前記複数のプロテクタ部材を結束部材によって結束するワイヤハーネスの製造方法であって、
前記複数のプロテクタ部材として、前記電線束の外周方向の第１の領域の全域にわたって前記結束部材の巻付けが可能な一方側の結束面を形成するとともに、前記第１の領域の一部にのみ前記電線束の長さ方向における前記結束部材の移動を規制する一部の側方ガイド面を形成する第１のプロテクタ部材と、前記外周方向の第２の領域内の全域に前記結束部材が巻き付けられる他方側の結束面を形成する第２のプロテクタ部材と、前記外周方向で前記第１の領域と前記２の領域との間に位置する第３の領域内に前記結束部材を前記外周方向に貫通させる筒状ガイド部を形成するとともに、前記第１のプロテクタ部材と前記第２のプロテクタ部材とのうちいずれか片方のプロテクタ部材に一体に形成された第３のプロテクタ部材と、をそれぞれ準備するとともに、
前記第１の領域内に、前記第１のプロテクタ部材の前記一方側の結束面に対面する湾曲ガイド面と前記第１の領域の残部に前記電線束の長さ方向における前記結束部材の移動を規制する残部の側方ガイド面とを形成するよう、前記第１のプロテクタ部材および前記第３のプロテクタ部材に対して離脱可能に係合し保持される係合部材を準備しておき、
前記第１のプロテクタ部材、前記第２のプロテクタ部材および前記第３のプロテクタ部材を前記電線束の外周方向に隣り合うように配置し、
前記第１のプロテクタ部材および前記第３のプロテクタ部材に対し前記係合部材を離脱可能に係合させて、前記筒状ガイド部の一方側に、前記一方側の結束面、前記湾曲ガイド面、前記一部の側方ガイド面および前記残部の側方ガイド面を有する湾曲した作業時案内通路を形成した後、
前記結束部材を、前記筒状ガイド部の他方側から前記筒状ガイド部に挿入し、前記筒状ガイド部の一方側の湾曲した前記作業時案内通路を通して、前方側に折り返すように湾曲させ、
前記結束部材の両端部を前記筒状ガイド部の他方側で結束することを特徴とするワイヤハーネスの製造方法。
【請求項２】
前記筒状ガイド部の前記他方側に位置する前記筒状ガイド部の入口側の端面に係止されたときに、前記第１のプロテクタ部材および前記第３のプロテクタ部材に対する前記係合部材の離脱方向の移動を規制する係止爪を、前記係合部材に設けておき、
前記第１のプロテクタ部材および前記第３のプロテクタ部材に対して前記係合部材を離脱可能に係合させるときに、前記係止爪を前記筒状ガイド部の入口側の端面に係止させ、
前記結束部材を結束するとき、該結束部材の結束部位を前記筒状ガイド部の入口側の端面に接近させて、前記係止爪を前記筒状ガイド部の入口側の端面から離脱させることを特徴とする請求項１に記載のワイヤハーネスの製造方法。
【請求項３】
前記係合部材を、前記第１のプロテクタ部材の端部を収納する略Ｕ字形に形成しておき、前記作業時案内通路を略Ｕ字形に湾曲させることを特徴とする請求項１または請求項２に記載のワイヤハーネスの製造方法。
【発明の詳細な説明】
【技術分野】
【０００１】
本発明は、ワイヤハーネスの製造方法に関し、特に、電線を保護するプロテクタを外装するとともにそのプロテクタを構成する複数のプロテクタ部材を結束部材で結束するワイヤハーネスの製造方法に関する。
【背景技術】
【０００２】
車両に搭載されるワイヤハーネスを製造する際に、その配索区間の一部をプロテクタにより取り囲んで保護することが多い。また、プロテクタは、通常、凹状の横断面を有するプロテクタ本体と蓋部材とによって筒状をなしているが、その筒状の開口縁部の口開き防止等のために、プロテクタ本体および蓋部材を結束することがある。
【０００３】
この種のプロテクタを外装するワイヤハーネスの製造方法としては、例えばプロテクタの開口端部からプロテクタ本体の側壁を軸方向に突出させて、その突出部にロック部付の筒状ガイド部を一体に設けておき、その筒状ガイド部に結束バンドを抜け止め可能に挿入することで、電線群をプロテクタに固定する結束バンドを電線長さ方向およびバンド長さ方向（電線束の周方向）への移動を規制するものがある（例えば、特許文献１参照）。
【０００４】
また、プロテクタ本体の側壁にワイヤハーネスのハーネスの軸線方向と直交する周方向に延びる結束部材ガイド用のガイド溝および凸条を設けておき、そのガイド溝等を利用して結束作業することにより、結束バンドによる結束作業の作業性および確実性の向上を図ったものが知られている（例えば、特許文献２参照）。
【先行技術文献】
【特許文献】
【０００５】
【特許文献１】特開平７−９５７１４号公報
【特許文献２】特開２００１−２０８２０１号公報
【発明の概要】
【発明が解決しようとする課題】
【０００６】
しかしながら、前述のような従来のワイヤハーネスの製造方法にあっては、筒状の軸線が屈曲した筒壁形状を有する場合等に、プロテクタを成形する金型の開閉方向に対して結束部分である開口端部が傾斜することになる。その場合、結束部材を周方向にガイドするガイド溝やガイドリブを周方向の広範囲に形成したり、比較的長い筒状ガイド部等を形成したりすると、アンダーカット部ができてしまい、成形金型にスライド機構等が必要になるため、プロテクタおよびそれを外装するワイヤハーネスの製造コストが高くなる。
【０００７】
一方、結束部材を周方向にガイドするガイド溝やガイドリブを周方向の一部にのみ形成したり結束部材を通す筒状ガイド部を短くしたりすることで、アンダーカット部ができないようにすると、成形用の金型構造を簡素にでき、プロテクタおよびそれを外装するワイヤハーネスの製造コストを抑えることができる。
【０００８】
しかし、その場合、プロテクタの開口端部の周囲における結束部材のガイド範囲が狭くなり、結束作業性やその確実性が損なわれ易くなるという問題が生じてしまう。
【０００９】
これに対し、図板上に電線を布線しつつワイヤハーネスを組み立てる段階で、その図板上に、開口端部の結束作業時にその結束部材をプロテクタのガイド溝やガイドリブ等と協働して案内するガイド治具を設置しておくことが考えられる。
【００１０】
しかし、電線束を挿通させたプロテクタを結束部材のガイドが可能な程度に高い精度で図板上に位置決め配置することは容易でなく、また、そのガイドのために作業空間や結束部材の視認性が低下してしまい、結束作業性が低下してしまうという問題が残る。
【００１１】
本発明は、このような従来の未解決の課題を解決すべくなされたものであり、結束部材をガイドするガイド部がプロテクタの周囲のうち一部のみに形成される場合でも、開口端部の結束作業を容易にかつ確実に実行できるワイヤハーネスの製造方法を実現し、低コストのワイヤハーネスを提供可能にすることを目的とする。
【課題を解決するための手段】
【００１２】
本発明に係るプロテクタは、上記目的達成のため、電線束の外周方向に隣り合う複数のプロテクタ部材によって前記電線束の曲げ位置を含む長さ方向の特定区間を取り囲むプロテクタを形成するとともに、前記複数のプロテクタ部材を結束部材によって結束するワイヤハーネスの製造方法であって、前記複数のプロテクタ部材として、前記電線束の外周方向の第１の領域の全域にわたって前記結束部材の巻付けが可能な一方側の結束面を形成するとともに、前記第１の領域の一部にのみ前記電線束の長さ方向における前記結束部材の移動を規制する一部の側方ガイド面を形成する第１のプロテクタ部材と、前記外周方向の第２の領域内の全域に前記結束部材が巻き付けられる他方側の結束面を形成する第２のプロテクタ部材と、前記外周方向で前記第１の領域と前記２の領域との間に位置する第３の領域内に前記結束部材を前記外周方向に貫通させる筒状ガイド部を形成するとともに、前記第１のプロテクタ部材と前記第２のプロテクタ部材とのうちいずれか片方のプロテクタ部材に一体に形成された第３のプロテクタ部材と、をそれぞれ準備するとともに、前記第１の領域内に、前記第１のプロテクタ部材の前記一方側の結束面に対面する湾曲ガイド面と前記第１の領域の残部に前記電線束の長さ方向における前記結束部材の移動を規制する残部の側方ガイド面とを形成するよう、前記第１のプロテクタ部材および前記第３のプロテクタ部材に対して離脱可能に係合し保持される係合部材を準備しておき、前記第１のプロテクタ部材、前記第２のプロテクタ部材および前記第３のプロテクタ部材を前記電線束の外周方向に隣り合うように配置し、前記第１のプロテクタ部材および前記第３のプロテクタ部材に対し前記係合部材を離脱可能に係合させて、前記筒状ガイド部の一方側に、前記一方側の結束面、前記湾曲ガイド面、前記一部の側方ガイド面および前記残部の側方ガイド面を有する湾曲した作業時案内通路を形成した後、前記結束部材を、前記筒状ガイド部の他方側から前記筒状ガイド部に挿入し、前記筒状ガイド部の一方側の湾曲した前記作業時案内通路を通して、前方側に折り返すように湾曲させ、前記結束部材の両端部を前記筒状ガイド部の他方側で結束することを特徴とする。
【００１３】
この構成により、本発明では、電線束の特定区間を取り囲む筒形状のプロテクタの第１および第３のプロテクタ部材に対し係合部材を係合させると、筒状ガイド部の一方側に、一方側の結束面、湾曲ガイド面、一部および残部の側方ガイド面を有する湾曲した作業時案内通路が形成される。そして、筒状ガイド部の他方側を作業空間として、筒状ガイド部に結束部材を挿入していくと、結束部材が、筒状ガイド部の一方側の湾曲した作業時案内通路に案内され、プロテクタの結束部位に対して良好な結束位置および結束姿勢をとりつつ前方側に折り返すように湾曲する。したがって、成形型の型構造簡素化等のために結束部材の側方ガイド部がプロテクタの周囲のうち一部のみに形成される場合であっても、プロテクタの結束作業を容易にかつ確実に実行できる製造方法を実現できる。
【００１４】
本発明のワイヤハーネスの製造方法においては、前記筒状ガイド部の前記他方側に位置する前記筒状ガイド部の入口側の端面に係止されたときに、前記第１のプロテクタ部材および前記第３のプロテクタ部材に対する前記係合部材の離脱方向の移動を規制する係止爪を、前記係合部材に設けておき、前記第１のプロテクタ部材および前記第３のプロテクタ部材に対して前記係合部材を離脱可能に係合させるときに、前記係止爪を前記筒状ガイド部の入口側の端面に係止させ、前記結束部材を結束するとき、該結束部材の結束部位を前記筒状ガイド部の入口側の端面に接近させて、前記係止爪を前記筒状ガイド部の入口側の端面から離脱させるようにしてもよい。
【００１５】
このようにすると、係合部材を取り外すためだけの作業が不要になり、作業工数を削減できることになる。
【００１６】
本発明のワイヤハーネスの製造方法においては、前記係合部材を、前記第１のプロテクタ部材の端部を収納する略Ｕ字形に形成しておき、前記作業時案内通路を略Ｕ字形に湾曲させるのがよい。
【００１７】
このようにすると、係合部材を筒状ガイド部および作業時案内通路に挿入するだけで、結束部材をプロテクタの結束部位に対して良好な結束位置および結束姿勢に案内することができ、プロテクタの前面側の作業空間内で係合部材の両端部を容易に接近させることができる。したがって、結束作業の作業性および確実性をより向上させることができる。
【発明の効果】
【００１８】
本発明によれば、結束部材をガイドするガイド部がプロテクタの周囲のうち一部のみに形成される場合でも、プロテクタの結束作業を容易にかつ確実に実行できるワイヤハーネスの製造方法を実現することができ、低コストのワイヤハーネスを提供可能にすることができる。
【図面の簡単な説明】
【００１９】
【図１】本発明の第１の実施の形態に係るワイヤハーネスの製造方法によって製造されるワイヤハーネスのプロテクタの開口端部付近の一部破砕断面を含む要部側面図である。
【図２】（ａ）は、本発明の第１の実施の形態に係るプロテクタの開口端部付近を示す要部上面図、（ｂ）は、そのプロテクタの開口端部付近を示す要部端面図である。
【図３】（ａ）は、本発明の第１の実施の形態に係るワイヤハーネスの製造方法に用いる係合部材の外則面図、（ｂ）は、（ａ）のＢ３−Ｂ３断面図、（ｃ）は、その係合部材の内側面図である。
【図４】本発明の第１の実施の形態に係るワイヤハーネスの製造方法に用いる係合部材の外観斜視図である。
【図５】本発明の第１の実施の形態に係るワイヤハーネスの製造方法によって製造されるワイヤハーネスのプロテクタの開口端部付近を示す部分拡大側面図である。
【図６】本発明の第１の実施の形態に係るワイヤハーネスの製造方法で使用されるプロテクタの開口端部付近に結束バンドを挿入した状態を示す部分拡大斜視図である。
【図７】本発明の第１の実施の形態に係るワイヤハーネスの製造方法で使用される結束部材の結束部位によって係合部材の係止爪を離脱させるときの状態を示す部分拡大斜視図である。
【図８】本発明の第１の実施の形態に係るワイヤハーネスの製造方法によって製造されるワイヤハーネスのプロテクタの開口端部付近の外観斜視図である。
【図９】（ａ）は、本発明の第２の実施の形態に係るワイヤハーネスの製造方法に用いる係合部材の外則面図、（ｂ）は、（ａ）のＢ９−Ｂ９断面図、（ｃ）は、その係合部材の内側面図である。
【発明を実施するための形態】
【００２０】
以下、本発明を実施するための形態について図面を参照して説明する。
【００２１】
（第１の実施の形態）
図１ないし図８は、本発明の第１の実施の形態に係るワイヤハーネスの製造方法を実施するワイヤハーネスおよびそのプロテクタを示している。
【００２２】
図１ないし図３に示すように、本実施形態のワイヤハーネス１０は、それぞれ絶縁被覆された複数本の電線１１を含む電線束１２と、その電線束１２の長さ方向の特定区間Ｚに外装されたプロテクタ１３と、プロテクタ１３の所定の結束部位である一端側の開口端部３１に装着された結束バンド１４とを有している。
【００２３】
ワイヤハーネス１０は、複数の電線１１に図示しない複数の接続端子やコネクタ等を装着してユニット化したものであり、車両に搭載される電装機器を電源や制御機器等に接続できるように構成されている。
【００２４】
複数の電線１１は、それぞれ内部の線状の導体１１ａと、導体１１ａを囲む筒状の被覆１１ｂとを有しており、導体１１ａは、例えば複数本の軟銅線を撚り合わせた円形より線で構成されている。勿論、より線でなく単線の芯線として構成されてもよい。被覆１１ｂは、例えばポリ塩化ビニルまたはポリエチレン等を主体とする樹脂（合成樹脂）製の円筒形の絶縁材で構成されている。
【００２５】
電線束１２は、複数の電線１１を例えば絶縁テープで所定間隔を隔てて束ねたもの、あるいは絶縁テープを螺旋状に粗く巻き付けたもの、あるいは、プロテクタ１３により経路規制されるばらばらの電線群のいずれかである。
【００２６】
プロテクタ１３は、一端側の開口端部３１と、開口端部３１に対し中心軸線が交差する直管状の主要部３２とを含んで構成されており、例えば主要部３２が他端まで続いている。
【００２７】
また、このプロテクタ１３は、凹状の横断面形状、例えば略Ｕ字形状の横断面形状を有するプロテクタ本体３３（第１のプロテクタ部材）と、このプロテクタ本体３３と共に電線束１２を挿通可能な挿通孔３４を形成する蓋部材３５（第２のプロテクタ部材）とによって構成されており、ワイヤハーネス１０の特定区間Ｚを取り囲みつつ保護するようになっている。
【００２８】
プロテクタ本体３３は、例えばポリプロピレンやナイロン樹脂等の合成樹脂により形成されており、プロテクタ本体３３および蓋部材３５を少なくとも１つヒンジ結合部３６（図８参照）を介して一体に射出成形したものとなっている。
【００２９】
また、プロテクタ本体３３は、図２（ｂ）中の上方側に開く略Ｕ字形横断面の電線収納溝３３ａを有しており、その電線収納溝３３ａの両側壁３３ｂ、３３ｃの同図中の上端縁部３３ｄ、３３ｅは、電線束１２の長さ方向の所定の曲げ位置Ｐで屈曲している。
【００３０】
そして、蓋部材３５の回動端側には、互いに嵌合するいわゆるスナップフィット構造の複数の係止爪部３７および係止凹部３８が、プロテクタ本体３３および蓋部材３５にそれぞれ一体に設けられている。蓋部材３５は、例えばポリプロピレンやナイロン樹脂等の絶縁性の合成樹脂により形成されているが、プロテクタ本体３３と相違する材料で形成されてもよい。
【００３１】
蓋部材３５は、一端側の開口端部３１付近の上方で電線収納溝３３ａの一部を覆う一端側蓋部３５ａと、主要部３２の上方で電線収納溝３３ａの残部を覆う他端側蓋部３５ｂと、一端側蓋部３５ａおよび他端側蓋部３５ｂの間に相対的に薄肉にかつ電線長さ方向におけるその中央側で最も薄肉に形成された中間ヒンジ結合部３５ｃとを有している。
【００３２】
また、プロテクタ本体３３および蓋部材３５には、ヒンジ結合部３６から離間する位置で互いに嵌合する、いわゆるスナップフィット構造の複数の係止爪部３７および係止凹部３８がそれぞれ一体に設けられている。
【００３３】
もっとも、プロテクタ本体３３および蓋部材３５は、互いに別体に成形されてもよく、その場合、複数のヒンジ結合部３６に代えて、係止爪部３７および係止凹部３８と同様な別の係止爪部および係止凹部とが設けられる。
【００３４】
図１ならびに図２（ａ）および図２（ｂ）に示すように、一端側の開口端部３１に対応するプロテクタ本体３３の一端部付近には、電線束１２の外周方向の第１の領域Ｒ１の全域にわたって結束バンド１４の巻付けが可能な一方側の結束面５１が形成されている。
【００３５】
また、プロテクタ本体３３の一端部付近には、第１の領域Ｒ１のうち一部である平行側面範囲Ｒ１ａおよび最下面範囲Ｒ１ｂ内にのみ、電線束１２の長さ方向における結束バンド１４の移動、すなわち、横ずれを規制する一部の側方ガイド面５２ａ、５２ｂが形成されている。
【００３６】
さらに、蓋部材３５の外面側には、電線束１２の外周方向で第１の領域Ｒ１とは離間する第２の領域Ｒ２内の全域に及んで、結束バンド１４が巻き付けられる他方側の結束面５３と、この他方側の結束面５３の両側方で周方向に延びる平行な一対のガイドリブ５４とが一体に設けられている。
【００３７】
さらに、一端側の開口端部３１付近のプロテクタ本体３３の上端部３３ｆには、電線束１２の外周方向で第１の領域Ｒ１と第２の領域Ｒ２との間に位置する第３の領域Ｒ３内に、結束バンド１４を外周方向に貫通させる筒状ガイド部５５が一体に設けられている。
【００３８】
この筒状ガイド部５５を形成するプロテクタ本体３３の上端部３３ｆは、第１および第２のプロテクタ部材であるプロテクタ本体３３および蓋部材３５のうちいずれか片方、例えばプロテクタ本体３３に一体に形成された第３のプロテクタ部材を構成している。
【００３９】
一方、プロテクタ１３の一端側の開口端部３１の近傍における第１の領域Ｒ１内には、プロテクタ本体３３およびこれと一体の上端部３３ｆ（第３のプロテクタ部材）に対して離脱可能に係合し保持される、略Ｕ字形状の係合部材１６が設けられている。
【００４０】
図３ないし図５に示すように、係合部材１６は、プロテクタ本体３３に保持されるときにプロテクタ本体３３の一方側の結束面５１に対面する湾曲ガイド面６１と、第１の領域Ｒ１の残部となる湾曲面範囲Ｒ１ｃ内で電線束１２の長さ方向における結束バンド１４の移動を規制する残部の側方ガイド面６２ａ、６２ｂとを有している。係合部材１６は、例えば簡易型により成形した樹脂部品でもよいし、削り出した部品でもよい。
【００４１】
係合部材１６は、図１、図５および図６に示すように、プロテクタ１３の一端側の開口端部３１に対応するプロテクタ本体３３に係合するとき、プロテクタ本体３３と共に、図５中の筒状ガイド部５５の下方側である一方側に、一方側の結束面５１、湾曲ガイド面６１、一部の側方ガイド面５２ａ、５２ｂおよび残部の側方ガイド面６２ａ、６２ｂを有する湾曲した作業時案内通路７０を形成するようになっている。
【００４２】
結束バンド１４は、結束時に内周面または外周面となる片面側、例えば内周面側にセレーション状の結束係止用の凹凸形状部分（詳細図示せず）を有する帯状体で、先端側で多少小幅および薄肉になる一端側のバンド部１４ｂと、バンド部１４ｂを抜止め可能に挿入することができる他端側の結束用のロックヘッド部１４ｈとを有する公知のものである。
【００４３】
この結束バンド１４は、筒状ガイド部５５の上端開口５５ａ側（他方側）から筒状ガイド部５５に挿入され、筒状ガイド部５５の下端側に形成された作業時案内通路７０を通して、筒状ガイド部５５の上端開口５５ａ側に折り返すように湾曲可能な程度の曲げ剛性あるいは可撓性を有している。そして、筒状ガイド部５５の上端開口５５ａ側に開放空間として形成される作業空間内で、結束バンド１４の両端部が結束される。
【００４４】
また、係合部材１６には、筒状ガイド部５５の上端開口５５ａ側に位置する筒状ガイド部５５の入口側の端面５５ｆに係止されたときに、プロテクタ本体３３に対する係合部材１６の離脱方向の移動を規制する鉤状の係止爪６５が設けられている。
【００４５】
そして、プロテクタ本体３３に対して係合部材１６を離脱可能に係合させるときに、係止爪６５を筒状ガイド部５５の入口側の端面５５ｆに係止させ、結束バンド１４を結束するとき、その結束バンド１４の結束部位となるロックヘッド部１４ｈを筒状ガイド部５５の入口側の端面５５ｆに接近させて、係止爪６５を筒状ガイド部５５の入口側の端面５５ｆから離脱させることができるようになっている。
【００４６】
なお、プロテクタ１３の主要部３２に対応するプロテクタ本体３３の下端側には、電線長さ方向に延びる平行な一対のリブ３９ａ、３９ｂが所定間隔を隔てて設けられている。
【００４７】
次に、本実施形態におけるワイヤハーネスの製造方法、特に電線束１２へのプロテクタ１３の外装作業の手順について説明する。
【００４８】
この外装作業は、基本的には、電線束１２の外周方向に隣り合うプロテクタ本体３３および蓋部材３５によって、電線束１２の曲げ位置Ｐを含む長さ方向の特定区間Ｚを取り囲むプロテクタ１３を形成するとともに、プロテクタ１３の一端側の開口端部３１の近傍でプロテクタ本体３３および蓋部材３５を結束バンド１４によって結束するものである。
【００４９】
具体的には、まず、その外装作業前の準備工程で、プロテクタ本体３３および蓋部材３５として、前述のように形成された所定形状の上端部３３ｆを有するプロテクタ本体３３および蓋部材３５と、結束バンド１４と、係合部材１６とを、それぞれ準備する。
【００５０】
また、予め接続端子等が装着された複数の電線１１を準備するとともに、必要に応じて絶縁テープ等により接続先や機能毎に束ねてサブハーネス化しておく。
【００５１】
ワイヤハーネス組立用の図板には、電線保持用の複数の治具類と併せて、それら治具類により図板上の所定高さに支持される複数の電線１１をプロテクタ本体３３の電線収納溝３３ａ内に収納できるように、プロテクタ本体３３を図板面上の所定位置および高さに位置決め可能に載置する台座を設置しておく。なお、プロテクタ本体３３の設置姿勢は、蓋部材３５をプロテクタ本体３３に対して側方側に開いた傾斜姿勢または下側に開いた横向き等であってもよい。
【００５２】
次いで、図板上に複数の電線１１を布線して電線束１２を作製するとともに、その電線束１２の複数の電線１１をプロテクタ本体３３の電線収納溝３３ａ内に収納する。
【００５３】
次いで、プロテクタ本体３３の電線収納溝３３ａ上を閉じるように蓋部材３５を移動させ、複数の係止爪部３７および係止凹部３８を係合させて、蓋部材３５をプロテクタ本体３３に固定する。
【００５４】
すなわち、電線束１２の特定区間Ｚの周囲に、プロテクタ本体３３および蓋部材３５（複数のプロテクタ部材）を電線束１２の外周方向に隣り合うように配置する。
【００５５】
このとき、プロテクタ本体３３の外周側において、電線束１２の外周方向の第１の領域Ｒ１の全域にわたって結束バンド１４の巻付けが可能な一方側の結束面５１を形成するとともに、第１の領域Ｒ１の一部にのみ電線束１２の長さ方向における結束バンド１４の移動を規制する一部の側方ガイド面５２ａ、５２ｂを形成することになる。
【００５６】
また、蓋部材３５の外周側に、その外周方向の第２の領域Ｒ２内の全域に結束バンド１４が巻き付けられる他方側の結束面５３を形成するとともに、第１の領域Ｒ１と第２の領域Ｒ２との間に位置する第３の領域Ｒ３内に筒状ガイド部５５を形成することになる。
【００５７】
次いで、あるいは、蓋部材３５をプロテクタ本体３３に固定するまでの間に、プロテクタ本体３３に対して係合部材１６を装着する。
【００５８】
具体的には、係合部材１６を図１に仮想線で示す下方側位置から実線で示す位置に向って矢印Ｄｍ方向に移動させて、プロテクタ１３の一端側の開口端部３１の近傍に係合させるとともに、鉤状の係止爪６５を筒状ガイド部５５の入口側の端面５５ｆに係止させる。なお、図１においては、係合部材１６の鉤状の係止爪６５付近の真直部分を図示する一方、湾曲ガイド面６１を形成する湾曲部分を一部破砕させた断面で示している。
【００５９】
係合部材１６を一端側の開口端部３１の近傍に係合させると、第１の領域Ｒ１内に、プロテクタ本体３３の一方側の結束面５１に対面する湾曲ガイド面６１と、図２（ｂ）に示す左右の湾曲面範囲Ｒ１ｃ内で結束バンド１４の電線長さ方向への移動を規制する残部の側方ガイド面６２ａ、６２ｂとを形成することになる。
【００６０】
また、このとき、係合部材１６をプロテクタ本体３３に対して離脱可能に係合せることで、筒状ガイド部５５の一方側に、一方側の結束面５１、湾曲ガイド面６１、一部の側方ガイド面５２ａ、５２ｂおよび残部の側方ガイド面６２ａ、６２ｂを有する湾曲した作業時案内通路７０を形成することになる。
【００６１】
係合部材１６は、予め一端側の開口端部３１に対応するプロテクタ本体３３の端部を収納する略Ｕ字形に形成されているので、このとき、作業時案内通路７０は略Ｕ字形に湾曲した状態となる。
【００６２】
次いで、図２（ｂ）における一端側の開口端部３１の上方側の空間を作業空間として、結束バンド１４を、筒状ガイド部５５に対して図１の矢印Ｄｉ方向に挿入する。そして、図５および図６に示すように挿入された結束バンド１４のバンド部１４ｂを、筒状ガイド部５５の一方側の作業時案内通路７０を通して前方側に折り返すように湾曲させる。
【００６３】
次いで、結束バンド１４を更に挿入し、そのバンド部１４ｂの先端部を一端側の開口端部３１の上方側に突出させた後、その先端部を結束バンド１４のロックヘッド部１４ｈに抜け止め可能に挿入することで、結束バンド１４の両端部を筒状ガイド部５５の作業空間側で結束する。
【００６４】
ところで、係合部材１６をプロテクタ本体３３に対して離脱可能に係合せたとき、鉤状の係止爪６５が筒状ガイド部５５の入口側の端面５５ｆに係止され、上端部３３ｆを一体に有するプロテクタ本体３３に対する係合部材１６の離脱方向の移動が規制されている。
【００６５】
そこで、図７に示すように、結束バンド１４の結束に際しては、結束バンド１４を締め付けるのと同時に、結束バンド１４の結束部位であるロックヘッド部１４ｈを筒状ガイド部５５の入口側の端面５５ｆに接近させて、鉤状の係止爪６５を筒状ガイド部５５の入口側の端面５５ｆから離脱させる。
【００６６】
ロックヘッド部１４ｈを筒状ガイド部５５の入口側の端面５５ｆに接近させると、係合部材１６は、筒状ガイド部５５の入口側の端面５５ｆから離脱する図２（ｂ）の右方向に開くように撓んだ状態となる。そして、鉤状の係止爪６５の上面６５ａは傾斜しているので、鉤状の係止爪６５が入口側の端面５５ｆから離脱すると、即座に、係合部材１６が弾性回復しながら図１中の矢印Ｄｍ方向とは逆向きの離脱方向に移動し、自重によりプロテクタ本体３３から外れるか、それに近い程度に容易に取り外せる状態となる。
【００６７】
図８に示すように、係合部材１６がプロテクタ１３の一端側の開口端部３１から外れると、ワイヤハーネスの電線束１２に対するプロテクタ１３の外装作業が完了する。
【００６８】
次に、作用について説明する。
【００６９】
上述のような本実施の形態のワイヤハーネスの製造方法では、プロテクタ本体３３および蓋部材３５によって電線束１２の特定区間Ｚを取り囲むプロテクタ１３を形成し、そのプロテクタ本体３３に対し係合部材１６を係合させると、筒状ガイド部５５の一方側に、一方側の結束面５１、湾曲ガイド面６１、一部および残部の側方ガイド面５２ａ、５２ｂ、６２ａ、６２ｂを有する湾曲した作業時案内通路７０が形成される。
【００７０】
そして、筒状ガイド部５５の他方側を作業空間として、筒状ガイド部５５に結束バンド１４を挿入していくと、結束バンド１４が、筒状ガイド部５５の一方側の作業時案内通路７０に案内され、プロテクタ１３の一端側の開口端部３１に対して良好な結束位置および結束姿勢をとりつつ前方側に折り返すように湾曲する。
【００７１】
これにより、湾曲した結束バンド１４の両端部が筒状ガイド部５５の上方側（前方側）の作業空間内に位置することになり、結束バンド１４による一端側の開口端部３１の結束作業が非常に容易になる。
【００７２】
その結果、成形金型の型構造簡素化等のために結束バンド１４の側方ガイド部が、一部の側方ガイド面５２ａ、５２ｂのように開口端部３１の周囲のうち一部のみに形成される場合でも、開口端部３１の結束作業を容易にかつ確実に実行できる。
【００７３】
また、本実施形態では、プロテクタ本体３３に係合部材１６を係合させるときに鉤状の係止爪６５を筒状ガイド部５５の入口側の端面５５ｆに係止させておき、結束バンド１４の結束部位をその入口側の端面５５ｆに接近させて鉤状の係止爪６５を離脱させるので、係合部材１６を取り外すためだけの作業が不要になり、作業工数が削減される。
【００７４】
さらに、本実施形態では、係合部材１６およびプロテクタ本体３３の一端部をそれぞれ略Ｕ字形に形成しておき、作業時案内通路７０を略Ｕ字形に湾曲させるので、係合部材１６を筒状ガイド部５５および作業時案内通路７０に挿入するだけで、結束バンド１４をプロテクタ１３の開口端部３１に対して良好な結束位置および結束姿勢に案内しながら、プロテクタ１３の前面側の作業空間内で係合部材１６の両端部を容易に接近させることができる。したがって、結束作業の作業性および確実性をより向上させることができる。
【００７５】
このように、本実施形態において、結束バンド１４をガイドするガイド部がプロテクタ１３の開口端部３１の周囲のうち一部のみに形成される場合でも、開口端部３１の結束作業を容易にかつ確実に実行できるワイヤハーネスの製造方法を実現できる。その結果、低コストのワイヤハーネスを提供可能にすることができる。
【００７６】
（第２の実施の形態）
図９は、本発明の第２の実施の形態に係るワイヤハーネスの製造方法に用いる係合部材を示している。
【００７７】
本実施系形態は、上述の第１の実施の形態の係合部材１６に代えて、それとは形状が異なる係合部材１７を用いるものであるが、それ以外は第１の実施の形態と同様である。
【００７８】
すなわち、第１の実施の形態における係合部材１６に代えて本実施形態の係合部材１７を用いる以外は、電線束１２へのプロテクタ１３の外装作業の手順も全く同様である。
【００７９】
図９に示すように、係合部材１７は、プロテクタ本体３３に保持されるときにプロテクタ本体３３の一方側の結束面５１に対面する湾曲ガイド面７１と、第１の領域Ｒ１の残部となる湾曲面範囲Ｒ１ｃ内で電線束１２の長さ方向における結束バンド１４の移動を両側方から規制する各一対の残部の側方ガイド面７２ａ、７２ｂとを有している。
【００８０】
この係合部材１７は、第１の実施の形態の係合部材１６と同様に、プロテクタ１３の一端側の開口端部３１に対応するプロテクタ本体３３に係合するとき、プロテクタ本体３３と共に、筒状ガイド部５５一方側に、一方側の結束面５１、湾曲ガイド面６１、一部の側方ガイド面５２ａ、５２ｂおよび残部の側方ガイド面６２ａ、６２ｂを有する湾曲した作業時案内通路７０を形成するようになっている。
【００８１】
一方、第１の実施の形態の係合部材１６がプロテクタ１３の一端側の開口端部３１に対する装着姿勢を多少変化させることができ、作業者が係合部材１６と開口端部３１の端面を揃えるように保持したり台座でガイドしたりできる形状となっていたのに対して、係合部材１７は、開口端部３１の外壁面形状に対応する内面および側面形状を有しており、一端側の開口端部３１に対する装着姿勢が一定になるように形成されている。
【００８２】
具体的には、係合部材１７は、湾曲ガイド面７１を形成する湾曲部側で、一部の側方ガイド面５２ａ、５２ｂによって電線長さ方向の一方側への移動を３箇所で規制され、一方側の結束面５１に対し電線長さ方向の他方側に隣接するプロテクタ本体３３の段差面３３ｇによって、電線長さ方向の他方側の移動が、係合部材１７のプロテクタ本体３３に対する着脱を容易にする程度の微小範囲内に制限されるようになっている。
【００８３】
また、係合部材１７には、筒状ガイド部５５の上端開口５５ａ側に位置する筒状ガイド部５５の入口側の端面５５ｆに係止されたときに、プロテクタ本体３３に対する係合部材１７の離脱方向移動を規制する鉤状の係止爪７５が設けられている。この係止爪７５は、第１の実施の形態における係合部材１６の係止爪６５と同一の形状を有している。
【００８４】
本実施の形態においても、結束バンド１４をガイドするガイド部がプロテクタ１３の開口端部３１の周囲のうち一部のみに形成される場合でも、開口端部３１の結束作業を容易にかつ確実に実行できるワイヤハーネスの製造方法を実現できる。その結果、低コストのワイヤハーネスを提供可能にすることができる。
【００８５】
なお、上述の各実施の形態では、複数のプロテクタ部材を凹状横断面のプロテクタ本体３３と蓋部材３５で構成していたが、複数のプロテクタ部材は、３つ以上の分割筒状をなしていてもよく、円弧状の横断面を有していてもよいことはいうまでもない。また、結束バンド１４がプロテクタ１３の一端側の開口端部３１の外周に巻き付くものとしたが、結束部位が一端部に限定されるものではないし、プロテクタ１３の長手方向の複数箇所に結束部位が設定されてもよいことはいうまでもない。もっとも、本発明は一端側の開口端部３１のように側方ガイド部の配置が金型構造面から制約された低コストのプロテクタの口開き防止用の結束部位に特に好適である。さらに、筒状ガイド部５５を形成する第３のプロテクタ部材がプロテクタ本体３３に一体に設けられていたが、蓋部材３５側に一体化されてもよい。また、上述の各実施の形態では、係合部材１６、１７がプロテクタ１３の外装作業終了時に外れるものとしたが、例えば係止爪６５、７５を両端側に設けて確実に抜け止め係止し、プロテクタ１３に装着したまま使用することも考えられる。
【００８６】
以上説明したように、本発明は、結束部材をガイドするガイド部がプロテクタの周囲のうち一部のみに形成される場合でも、開口端部の結束作業を容易にかつ確実に実行できるワイヤハーネスの製造方法を実現することができ、低コストのワイヤハーネスを提供可能にすることができる。かかる本発明は、電線を保護するプロテクタを外装するとともにその口開きを防止するワイヤハーネスの製造方法全般に有用である。
【符号の説明】
【００８７】
１０  ワイヤハーネス
１１  電線
１２  電線束
１３  プロテクタ
１４  結束バンド（結束部材）
１４ｈ  ロックヘッド部（結束部位）
１６、１７  係合部材
３１  開口端部（一端側の開口端部）
３２  主要部
３３  プロテクタ本体（第１のプロテクタ部材）
３３ａ  電線収納溝
３３ｂ、３３ｃ  側壁
３３ｄ、３３ｅ  上端縁部
３３ｆ  上端部（第３のプロテクタ部材）
３４  挿通孔
３５  蓋部材（第２のプロテクタ部材）
５１  結束面（一方側の結束面）
５２ａ、５２ｂ  一部の側方ガイド面
５３  結束面（他方側の結束面）
５４  ガイドリブ
５５  筒状ガイド部
５５ａ  上端開口
５５ｆ  入口側の端面
６１、７１  湾曲ガイド面
６２ａ、６２ｂ、７２ａ、７２ｂ  残部の側方ガイド面
６５、７５  係止爪（鉤状の係止爪）
７０  作業時案内通路
Ｒ１  第１の領域
Ｒ１ａ  平行側面範囲（第１の領域の一部）
Ｒ１ｂ  最下面範囲（第１の領域の一部）
Ｒ１ｃ  湾曲面範囲（第１の領域の残部）
Ｒ２  第２の領域
Ｒ３  第３の領域
Ｚ  特定区間（電線長さ方向における特定区間）
【図１】
2016195480.tif 000003
【図２】
2016195480.tif 000004
【図３】
2016195480.tif 000005
【図４】
2016195480.tif 000006
【図５】
2016195480.tif 000007
【図６】
2016195480.tif 000008
【図７】
2016195480.tif 000009
【図８】
2016195480.tif 000010
【図９】
2016195480.tif 000011